(57)【特許請求の範囲】
【請求項１】
係止筒と排水上筒と排水下筒からなる軒樋用ドレンであって、前記係止筒は外周面に雄ネジが設けられている筒体で、この筒体の上端部に上側軒樋挟持部が設けられ、前記排水上筒は内周面に前記係止筒の雄ネジに螺合する雌ネジが設けられている筒体で、この筒体に貫通孔が設けられ、この筒体の上端部に外方向にほぼ水平に突出した下側軒樋挟持部と、この下側軒樋挟持部から下方に垂下し、前記貫通孔の外側を覆う外側筒体が設けられ、前記排水下筒は下部が竪樋またはエルボを取り付ける接続部になされた筒体で、この筒体の上部に内方向に突出している係止爪が設けられ、この排水下筒の上部が前記排水上筒の筒体と外側筒体の隙間に挿入され、排水下筒の係止爪が排水上筒の貫通孔の中に移動可能に挿入されて排水下筒が排水上筒に連結されていることを特徴とする軒樋用ドレン。
【発明の詳細な説明】
【０００１】
【発明の属する技術分野】
本発明は軒樋用ドレンに関する。
【０００２】
【従来の技術】
従来の軒樋用ドレンは、実公昭６３−４８７４０号公報に記載あるように、係止筒と排水筒とからなり、係止筒は外周面に雄ネジが設けられている筒体で、この筒体の上端部に外方向に突出して設けられた上側フランジからなる上側軒樋挟持部とが設けられ、前記排水筒は内周面に雌ネジが設けられている筒体で、この筒部の上端部に外方向に突出して設けられた下側フランジからなる下側軒樋挟持部が設けられているものである。
【０００３】
そして、この軒樋用ドレンの施工方法および使用方法は、軒樋の底壁に通孔を設け、この通孔の下側周縁部に排水筒の下側軒樋挟持部を当接させ、軒樋の上方から通孔を通して係止筒の筒体を挿入し、この係止筒の雄ネジを排水筒の雌ネジに螺入して、係止筒の上側軒樋挟持部と排水筒の下側軒樋挟持部とで軒樋の通孔周縁部を挟んで軒樋に軒樋用ドレンを取り付ける。必要があれば、軒樋と上側軒樋挟持部や下側軒樋挟持部とを接着剤で接着する。その後、この軒樋用ドレンの排水筒の筒体の下部に直接竪樋を取り付けるか、またはエルボを取り付け、このエルボの先方に竪樋を取り付ける。すると、軒樋を流れる雨水はこの軒樋用ドレンを通って竪樋に、または、エルボを経て竪樋に流れるのである。
【０００４】
【発明が解決しようとする課題】
しかし、この軒樋用ドレンを軒樋に接続し、この軒樋用ドレンを竪樋を取り付けたり、エルボを介して竪樋を取り付けていると、夏冬・昼夜の温度差によって軒樋が膨張収縮する結果、軒樋用ドレン、エルボ、軒樋等が破損することがある。この一例を図２および図３を参照しながら説明する。図２には、軒樋１０１に軒樋用ドレン１０２を取り付け、この軒樋用ドレン１０２をエルボ１０３に接続し、このエルボ１０３、呼び樋１０４を介して竪樋１０５に接続されている図が記載されている。
【０００５】
すると、夏冬・昼夜の温度差によって軒樋１０１が軒先に沿って矢印方向に膨張収縮する。しかし、壁に取り付けられている竪樋１０５は移動しない。従って、竪樋１０５と軒樋１０１との間に偶力が働く。その結果、エルボ１０３と軒樋用ドレン１０２との接続部にはエルボ１０３を回動させようとする力が働き、図３に示すように、エルボ１０３や軒樋用ドレン１０２等にクラック１０６が入りエルボ１０３や軒樋用ドレン１０２が破損することがある。
そこで、本発明の目的は、軒樋が膨張収縮を繰り返してもエルボ、軒樋用ドレン、軒樋等が破損しない軒樋用ドレンを提供することである。
【０００６】
【課題を解決するための手段】
本発明は上記目的を達成するためになしたものであって、請求項１記載の発明は、係止筒と排水上筒と排水下筒からなる軒樋用ドレンであって、前記係止筒は外周面に雄ネジが設けられている筒体で、この筒体の上端部に上側軒樋挟持部が設けられ、前記排水上筒は内周面に前記係止筒の雄ネジに螺合する雌ネジが設けられている筒体で、この筒体に貫通孔が設けられ、この筒体の上端部に外方向にほぼ水平に突出した下側軒樋挟持部と、この下側軒樋挟持部から下方に垂下し、前記貫通孔の外側を覆う外側筒体が設けられ、前記排水下筒は下部が竪樋またはエルボを取り付ける接続部になされた筒体で、この筒体の上部に内方向に突出している係止爪が設けられ、この排水下筒の上部が前記排水上筒の筒体と外側筒体の隙間に挿入され、排水下筒の係止爪が排水上筒の貫通孔の中に移動可能に挿入されて排水下筒が排水上筒に連結されているものである。
【０００７】
（作用）本発明軒樋用ドレンの施工方法および使用方法を説明しながら作用について説明する。
本発明軒樋用ドレンの施工方法は、従来の軒樋用ドレンの施工方法と同じように、軒樋の底壁に通孔を設け、この通孔の下側周縁部に排水上筒の下側軒樋挟持部を当接させ、軒樋の上方から通孔を通して係止筒の筒体を挿入し、この係止筒の雄ネジを排水上筒の雌ネジに螺入して、係止筒の上側軒樋挟持部と排水上筒の下側軒樋挟持部とで軒樋の通孔周縁部を挟んで軒樋に軒樋用ドレンを取り付ける。又、この軒樋用ドレンの排水下筒の接続部に直接竪樋を取り付けるか、エルボを取り付け、このエルボの先方に竪樋を取り付ける。
必要があれば、軒樋と上側軒樋挟持部や下側軒樋挟持部とを接着剤で接着する。
【０００８】
請求項１記載の発明では、軒樋を流れる雨水は軒樋用ドレンの係止筒に入り、この係止筒から排水上筒に、そして、排水下筒に取り付けられている竪樋やエルボに流れてゆく。この際、排水下筒の上部が排水上筒の筒体と外側筒体の隙間に挿入されて排水下筒が排水上筒に連結されているから、排水上筒の内周面を伝って落下する雨水はすべて排水下筒の中に入ってゆく。従って、排水上筒と排水下筒の間から雨水が漏れない。
【０００９】
請求項１記載の発明では、排水下筒の係止爪が排水上筒の貫通孔の中に移動可能に挿入されているから、軒樋が膨張収縮すると、排水下筒の係止爪が排水上筒の貫通孔の中を上下に移動して排水下筒が軒樋の膨張収縮する方向に傾斜したり左右にスライドして、この軒樋、係止筒、排水上筒の移動による歪みを吸収する。又、排水上筒の貫通孔の外側を覆う外側筒体が設けられているから、外部から貫通孔が見えずこの連結部分が美麗である。
【００１０】
【発明の実施の形態】
次に、本発明の実施例を説明する。
【００１１】
（実施例１）図１は本発明軒樋用ドレンの一実施例を示すもので、軒樋用ドレンの使用状態を示す一部切欠正面図である。
【００１２】
図１において、１ｄはポリ塩化ビニル樹脂製の軒樋用ドレンであり、この軒樋用ドレン１ｄは係止筒２ｄと排水上筒３ｄと排水下筒４ｄとからなる。係止筒２ｄは外周面に雄ネジ２１１ｄが設けられている筒体２１ｄで、この筒体２１ｄの上端部に外方向に突出したフランジからなる上側軒樋挟持部２２ｄが設けられている。又、この筒体２１ｄの上側には上端の開口を覆って網状のドレンキャップ２３ｄが設けられている。
【００１３】
排水上筒３ｄは内周面に係止筒２ｄの雄ネジ２１１ｄに螺合する雌ネジ３１１ｄが設けられている筒体３１ｄで、この排水上筒３ｄには筒部３１ｄの上端部から外方向に突出した下側軒樋挟持部３２ｄと、この下側軒樋挟持部３２ｄの外側から下方に垂下した外側筒体３８ｄが設けられていて、外側筒体３８ｄと筒体３１ｄとの間に隙間３６ｄが形成されている。又、筒体３１ｄにはほぼ等間隔に４個の貫通孔３５ｄが設けられて、外側筒体３８ｄがこの貫通孔３５ｄの外側を覆っていて、外側から貫通孔３５ｄが見えなくなっている。
【００１４】
排水下筒４ｄは下部が竪樋やエルボ落とし６１ｄ等を取り付ける接続部４２ｄになされた筒体４１ｄで、この筒体４１ｄの上部内周面には内方向に突出した係止爪４３ｄが設けられている。この係止爪４３ｄは筒体３１ｄに設けられている４個の貫通孔３５ｄに対応する位置に設けられている。そして、この排水下筒４ｄの上部が排水上筒３ｄの筒体３１ｄと外側筒体３８ｄの隙間３６ｃに挿入され、排水下筒４ｄの係止爪４３ｄが筒体３１ｄの貫通孔３５ｄの中に挿入されて排水下筒４ｄが排水上筒３ｄに連結されている。
【００１５】
尚、貫通孔３５ｄの大きさは係止爪４３ｄよりずっと大きくなされている。従って、貫通孔３５ｄの中に係止爪４３ｄを挿入すると、移動可能になっている。又、この貫通孔３５ｄと係止爪４３ｄは外側筒体３８ｄが覆っているから、この接続部分は美麗である。
この排水上筒３ｄに排水下筒４ｄに連結する方法の一例を示す。
即ち、排水下筒４ｄの係止爪４３ｄを変形させながら強引に排水上筒３ｄの外側筒体３８ｄと筒体３１ｄの隙間３６ｃに挿入する。すると、係止爪４３ｄが貫通孔３５ｄの中に入ったときに係止爪４３ｄが元の形状に戻って排水下筒４ｄが排水上筒３ｄに連結される。
又、別の方法として、予め、排水下筒４ｄを縦に２分割したものを製造し、この排水下筒４ｄの上部を排水上筒３ｄの筒体３１ｄと外側筒体３８ｄの隙間３６ｃに挿入し排水下筒４ｄの係止爪４３ｄを貫通孔３５ｄの中に挿入した後、この２分割した排水下筒４ｄを元の形に接着する。
【００１６】
５ｄはポリ塩化ビニル樹脂製の軒樋であり、この軒樋５ｄには、軒樋用ドレン１ｄを取り付ける位置に係止筒２ｄの筒体２１ｄが挿入できる通孔が設けられている。６１ｄはエルボ落としであり、このエルボ落とし６１ｄの先方は建物の壁に取り付けられている竪樋に接続されている。
【００１７】
次に、この軒樋用ドレンの施工方法、使用方法および作用について説明する。
軒先の所々に複数の軒樋吊り具を取り付け、この複数の軒樋吊り具に軒樋５ｄを架け渡し、この軒樋５ｄを軒樋吊り具に取り付ける。次に、軒樋５ｄの軒樋用ドレン１ｄを取り付ける位置（水落とし位置）に係止筒２ｄの筒体２１ｄが挿入できる大きさの通孔を設ける。そして、この通孔５１ｄの下側周縁部に排水筒３ｄの下側軒樋挟持部３２ｄを当接させ、軒樋５ｄの上方から通孔５１ｄを通して係止筒２ｄの筒部２１ｄを挿入し、この係止筒２ｄの雄ネジ２１１ｄを排水筒３ｄの雌ネジ３１１ｄに螺入して、係止筒２ｄの上側軒樋挟持部２２ｄと排水筒３ｄの下側軒樋挟持部３２ｄとで軒樋の通孔の周縁部を挟んで軒樋に軒樋用ドレン１ｄを取り付ける。一方、建物の壁に竪樋を竪樋取付具で取り付ける。
【００１８】
そして、軒樋用ドレン１ａの排水下筒４ｄの接続部４２ｄと竪樋との間をエルボ落とし６１ｄ、這樋等で連結する。すると、軒樋５ｄを流れる雨水は軒樋用ドレン１ｄの係止筒２ｄに入り、この係止筒２ｄから排水上筒３ｄを経て排水下筒４ｄに取り付けられているエルボ落とし６１ｄから竪樋６ｄに流れてゆく。この際、排水上筒３ｄの筒体３１ｄの下部は排水下筒４ｄの中に挿入されているから、排水上筒３ｄの筒体３１ｄの内周面を伝って落下する雨水はすべて排水上筒３ｄの筒体３１ｄから排水下筒４ｄの中に入ってゆく。
従って、排水上筒３ｄと排水下筒４ｄの間から雨水が漏れない。又、落ち葉等のゴミは網状のドレンキャップ２３ｄによって遮られて竪樋６ｄの中に入って行かない。
【００１９】
このように軒樋用ドレン１ｄで軒樋５ｄと竪樋とを連結して使用していると、夏冬・昼夜等の温度差によって軒樋５ｄが膨張収縮する。この結果、この軒樋５ｄに取り付けられている係止筒２ｄと排水上筒３ｄは軒樋５ｄと共に軒先に沿った方向に移動するが、壁に取り付けられている竪樋は軒先に沿った方向に移動しない。
しかし、排水上筒３ｄの筒体３１ｄの貫通孔３５ｄの中に排水下筒４ｄの係止爪４３ｄが移動可能に挿入されているから、軒樋が膨張収縮すると、排水下筒４ｄの係止爪４３ｄが排水上筒３ｄの筒体３１ｄの貫通孔３５ｄの中を上下に移動して排水下筒４ｄが軒樋５ｄの膨張収縮する方向に傾斜したり左右にスライドして、この軒樋５ｄ、係止筒２ｄ、排水上筒３ｄの移動による歪みを吸収する。従って、軒樋５ｄが膨張収縮を繰り返しても軒樋用ドレン１ｄ、軒樋５ｄ等が破損しない。
【００２０】
【発明の効果】
請求項１記載の発明では、排水下筒の上部が排水上筒の筒体と外側筒体の隙間に挿入されているから、排水上筒の内周面を伝って落下する雨水はすべて排水下筒の中に入ってゆく。従って、排水上筒と排水下筒の間から雨水が漏れないので安心である。
又、排水下筒の係止爪が排水上筒の貫通孔の中に移動可能に挿入されているから、軒樋が膨張収縮すると、排水下筒の係止爪が排水上筒の貫通孔の中を上下に移動して排水下筒が軒樋の膨張収縮する方向に傾斜したり左右にスライドして、この軒樋、係止筒、排水上筒の移動による歪みを吸収するので軒樋、軒樋用ドレン等が破損しない。又、排水上筒の貫通孔の外側を覆う外側筒体が設けられているから、外部から貫通孔が見えなくこの連結部が美麗である。
【図面の簡単な説明】
【図１】本発明の第1実施例を示すもので、軒樋用ドレンの一部切欠正面図である。
【図２】従来の軒樋用ドレンの取り付けられている状態を示す説明図である。
【図３】従来の軒樋用ドレンとエルボにクラックが発生した状態を示す説明図である。
【符号の説明】
１ｄ  軒樋用ドレン
２ｄ  係止筒
２１ｄ  筒体
２１１ｄ  雄ネジ
２２ｄ  上側軒樋挟持部
３ｄ  排水筒
３１ｄ  筒体
３１１ｄ  雌ネジ
３２ｄ  下側軒樋挟持部
３５ｄ  貫通孔
３８ｄ  外側筒体
４ｄ  排水下筒
４１ｄ  筒体
４２ｄ  接続部
４３ｄ  係止爪
【図１】
0003699537.tif 000002
【図２】
0003699537.tif 000003
【図３】
0003699537.tif 000004